(57)【要約】      （修正有）【課題】外部の衛生環境の状況に応じて、トングスタンドからトングを取り出す形態とメイントングスタンドからトングを取り出す形態との間で容易に変更することができるトングスタンドを提供する。【解決手段】トングスタンド２は、左右方向に延びる棒状体であってトング９を掛けることができるトング掛け４を有するメイントングスタンド１に着脱可能に取り付けられるトングスタンド２であって、底部と、底部の上方に配置され、トング９を収容する収容部を複数規定する仕切部と、底部及び仕切部を連結する枠体と、を有するスタンド本体５と、スタンド本体５を着脱可能に支持する本体支持部と、トング掛け４に着脱可能に取り付けられる取付部と、取付部と本体支持部とを連結する連結部と、を有するスタンド台６と、を備える。【選択図】図１
0003231656.tif 000002
【実用新案登録請求の範囲】
【請求項１】
左右方向に延びる棒状体であってトングを掛けることができるトング掛けを有するメイントングスタンドに着脱可能に取り付けられるトングスタンドであって、
底部と、前記底部の上方に配置され、前記トングを収容する収容部を複数規定する仕切部と、前記底部及び前記仕切部を連結する枠体と、を有するスタンド本体と、
前記スタンド本体を着脱可能に支持する本体支持部と、前記トング掛けに着脱可能に取り付けられる取付部と、前記取付部と前記本体支持部とを連結する連結部と、を有するスタンド台と、を備える、トングスタンド。
【請求項２】
各前記収容部は前記トングを一つ収容する大きさに形成されている、請求項１に記載のトングスタンド。
【請求項３】
前記仕切部は、上下方向に間隔を開けて配置されている、請求項１又は２に記載のトングスタンド。
【請求項４】
前記本体支持部は、前記スタンド本体が載置され、
前記連結部は、前記取付部を前記トング掛けに取り付けた状態において、前記本体支持部が前方に傾斜する姿勢をとるように前記取付部と前記本体支持部とを連結する、請求項１乃至３の何れか１項に記載のトングスタンド。
【請求項５】
前記トング掛けは、互いに平行に延びる前側トング掛け部及び後側トング掛け部を有し、
前記取付部は、前記前側トング掛け部から前記後側トング掛け部に向かって伸び、前記前側トング掛け部に載置される渡し部と、前記渡し部の先端に連なり、前記後側トング掛け部に掛けられるフック部と、を有する、請求項１乃至４の何れか１項に記載のトングスタンド。
【請求項６】
前記本体支持部は、複数のスタンド本体を支持する、請求項１乃至５の何れか１項に記載のトングスタンド。
【請求項７】
請求項１乃至６の何れか１項に記載のメイントングスタンド及びトングスタンドを備える、トングスタンドユニット。
【考案の詳細な説明】
【技術分野】
【０００１】
本考案は、トングスタンド及びトングスタンドユニットに関する。
【背景技術】
【０００２】
従来から取り分け具用スタンドが知られている（例えば特許文献１参照）。
【０００３】
この取り分け具用スタンドは、取り分け具を収容可能な収納空間を有する収納本体を備えている。これによって、使用者に対する清潔な取り分け具の提供を可能としている。
【先行技術文献】
【特許文献】
【０００４】
【特許文献１】特開２０２０−５８４０５号公報
【考案の概要】
【考案が解決しようとする課題】
【０００５】
しかし、特許文献１に記載の取り分け具用スタンドは、ハンガー形式のトングスタンドを撤去した上で、取り分け具用スタンドを配置するための専用のスペースを設ける必要があるという問題があった。
【課題を解決するための手段】
【０００６】
上記課題を解決するため、本考案のある態様に係るトングスタンドは、左右方向に延びる棒状体であってトングを掛けることができるトング掛けを有するメイントングスタンドに着脱可能に取り付けられるトングスタンドであって、底部と、前記底部の上方に配置され、前記トングを収容する収容部を複数規定する仕切部と、前記底部及び前記仕切部を連結する枠体と、を有するスタンド本体と、前記スタンド本体を着脱可能に支持する本体支持部と、前記トング掛けに着脱可能に取り付けられる取付部と、前記取付部と前記本体支持部とを連結する連結部と、を有するスタンド台と、を備える。
【０００７】
この構成によれば、トングを使用しようとする者が収容部からトングを取り出すときに、他のトングに触れにくくすることができ、他のトングの清潔を保つことができる。また、既に設置されているハンガー形式のメイントングスタンドを用いて設置することができる。したがって、衛生により配慮したトングスタンドを新たに製造したり、新たな設置スペースを確保したりする必要がなく、この衛生により配慮したトングスタンドの設置が容易となる。そして、外部の衛生環境の状況に応じて、トングスタンドからトングを取り出す形態とメイントングスタンドからトングを取り出す形態との間で容易に変更することができる。
【考案の効果】
【０００８】
本考案は、外部の衛生環境の状況に応じて、トングスタンドからトングを取り出す形態とメイントングスタンドからトングを取り出す形態との間で容易に変更することができるという効果を奏する。
【図面の簡単な説明】
【０００９】
【図１】実施の形態に係るトングスタンドユニットの構成例を示す斜視図である。
【図２】図１のトングスタンドユニットのサブトングスタンドの構成例を示す分解斜視図である。
【図３】図１のトングスタンドユニットのトングを収納したスタンド本体の断面図である。
【図４】図１のトングスタンドユニットの使用形態を示す図であり、メイントングスタンドからトングを取り出す使用形態を示す図である。
【考案を実施するための形態】
【００１０】
以下、実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１１】
図１は、実施の形態に係るトングスタンドユニット１００の構成例を示す斜視図である。トングスタンドユニット１００は、例えば、パン、菓子、惣菜等の商品を販売する店舗に設置される什器であり、客が商品を取るために用いるトング９を複数収容できるものである（図４参照）。また、トングスタンドユニット１００は、取った商品を載せるためのトレイ１０を収容できるものであってもよい。そして、客は、例えばトングスタンドユニット１００からトング９及びトレイ１０を一つ取り出し、トング９を用いて大皿等に載置された商品を取り上げ、トレイ１０に載せる。
【００１２】
以下では、客がトングを取り出すときに位置する側を前といい、その反対側を後ということがある。また、メイントングスタンド１に向かう客から見て上、下、左、及び右をそれぞれ上、下、左、及び右ということがある。
【００１３】
トング９は、周知のトングであり、例えば、図３に示すように、ステンレス製の一対の挟み部９１と、一対の挟み部９１の基端部を連結する連結部９２とを備える。連結部９２は、例えば弾性を有し、一対の挟み部９１を開く方向に付勢する。連結部９２は、一対の挟み部９１と一体成形されているが、バネを内蔵したヒンジであってもよい。また、一対の挟み部９１の先端部が商品を把持するための把持部９７である。更に、一対の挟み部９１の中間部は、それぞれ樹脂によって覆われ、使用者がトング９を摘まむように持つための摘み部９６を構成する。トング９は、閉じた状態においては一対の挟み部９１が略平行に延びる姿勢をとり、開いた状態においては連結部９２から把持部９７に向かって離間する姿勢をとる。
【００１４】
図１に示すように、トングスタンドユニット１００は、メイントングスタンド１と、サブトングスタンド（トングスタンド）２とを備える。
【００１５】
メイントングスタンド１は、トング９を立てた状態で保持することができる公知のハンガー形式のトングスタンドであり、基台１１と、一対の支柱１２と、支柱１２に取り付けられ、左右方向に延びる棒状体であって複数のトング９を掛けることができるトング掛け４とを含む。基台１１は、店舗の床面に載置され、上面に積み重ねた複数のトレイ１０を載置できるように形成されている。これによって、トレイ１０は基台１１に保持される。なお、基台１１はトレイ１０を収容できる棚であってもよい。一対の支柱１２は、基台１１の上面の左部及び右部から上方に垂直に延びる。トング掛け４は、トング９を掛けるためのハンガーであり、互いに平行に延びる前側トング掛け部４１と、後側トング掛け部４２とを含む。
【００１６】
後側トング掛け部４２は、左右方向に水平に延び、一対の支柱１２の上端を連結する。前側トング掛け部４１は、後側トング掛け部４２よりも前側下方において左右方向に水平に延びる。そして、前側トング掛け部４１は、前側トング掛け部４１の両端と一対の支柱１２とを連結する一対の前側トング掛け支持部４３によって連結され、支柱１２に支持されている。一対の前側トング掛け支持部４３は前後方向に延びる。このように、前側トング掛け部４１及び後側トング掛け部４２との間には段違いに設けられ、前側トング掛け部４１は後側トング掛け部４２よりも低くなるように配置されている。これによって、トング９を前側トング掛け部４１及び後側トング掛け部４２に跨らせて掛けることによって、メイントングスタンド１はトング９を立てた状態で保持する。
【００１７】
また、メイントングスタンド１からトング９を取り出すときは、トング掛け４に掛けられているトング９の上部を摘んで引き上げる。そして、前側トング掛け部４１は、後側トング掛け部４２よりも低い位置に配置されているので、後側トング掛け部４２に掛けられたトング９の上部が前方に露出し、この後側トング掛け部４２に掛けられたトング９を容易に取り出すことができる。
【００１８】
図２は、サブトングスタンド２の構成例を示す分解斜視図である。サブトングスタンド２は、メイントングスタンド１に着脱可能に取り付けられ、トング９を立てた状態で保持することができるトングスタンドである。サブトングスタンド２は、２つのスタンド本体５と、スタンド台６と、パネル７とを含む。
【００１９】
図３は、トング９を収納したスタンド本体５の断面図である。スタンド本体５は、トング９を収容する容器であり、消毒が容易なステンレス製である。図２及び図３に示すように、スタンド本体５は、底部５２と、２つの仕切部５３と、枠体５１とを含む。
【００２０】
底部５２は、その上に位置する立てたトング９が脱落しないようにトング９を支持する。底部５２は、例えば、水平に配置された、目の細かい矩形の網状体である。これによって、スタンド本体５内に入り込んだ埃や塵が溜まり難いようになっている。
【００２１】
仕切部５３は、トング９を立てた状態に保持する。仕切部５３は、例えば、水平に配置された、目の粗い矩形の網状体であり、外枠部５５の内部空間を格子状に仕切り、トング９を収容する収容部５８を複数規定する。各収容部５８は、例えばトング９を一つ収容する大きさに形成されている。これによって、各収容部５８に収容された複数のトング９を互いに離間させることができ、１のトング９を取り出す際、他のトング９により触れ難くすることができる。
【００２２】
２つの仕切部５３は、互いに同一形状であり、上下方向に間隔を開けて配置されている。上側の仕切部５３及び下側の仕切部５３の目は、正方形であり、上下方向に並ぶように配置されている。これら２つの仕切部５３の目の内側の上下方向に延びる領域が収容部５８を構成し、トング９を上方からこれら２つの仕切部５３の目に挿し込むことによって、トング９は立てた状態に保持される。収容部５８は、例えば、前後方向に５行、左右方向に４列並ぶように形成され、スタンド本体５は２０個のトング９を収容することができる。なお、仕切部５３は、２つ設けられているので、収容したトング９の姿勢が略直立姿勢に効果的に規制される。しかし、これに限られるものではなく、１つでもよく、また、３つ以上でもよい。
【００２３】
そして、収容部５８の目の寸法は、閉じたトング９を収容可能な大きさに形成され、また、開いたトング９は収容できない大きさに形成されている。収容部５８にトング９を挿し込むときは、トング９を閉じて挿し込む。挿し込んだトング９から手を離すと、仕切部５３の目の内部でトング９が連結部９２の弾性により若干開いて仕切部５３内で突っ張り、これによってトング９は仕切部５３に略直立姿勢で保持される。よって、トング９を取り出す際に持つトング９の上部（連結部６３）は、隣のトング９の上部と離間した状態となる。これによって、客が収容部５８に収容されたトング９を取り出す際に、隣のトング９に意図せず触れてしまうことを防止することができる。また、仕切部５３は、網状体であるので、異物の付着を抑制することができる。
【００２４】
枠体５１は、外枠部５５と、取っ手部５６と、脚部５７とを含む。
【００２５】
外枠部５５は、底部５２及び２つの仕切部５３を連結し、上述の位置及び姿勢に配置する。外枠部５５は、例えば、底部５２の外周に沿って延び、底部５２が取り付けられている矩形の第１の枠５５ａと、下側の仕切部５３の外周に沿って延び、下側の仕切部５３が取り付けられている矩形の第２の枠５５ｂと、上側の仕切部５３の外周に沿って延び、上側の仕切部５３が取り付けられている矩形の第３の枠５５ｃと、第１〜第３の枠５５ａ、５５ｂ、５５ｃの四隅をそれぞれ連結する連結枠５５ｄとを有する。
【００２６】
取っ手部５６は、店員等がスタンド本体５を運搬する際に把持する部位であり、外枠部５５に連なるコの字状の部位である。取っ手部５６は、例えば、一対設けられ、一方の取っ手部５６は第３の枠５５ｃの前方に配置され、他方の取っ手部５６は第３の枠５５ｃの後方に配置されている。これにより、スタンド本体５を運搬する際に、外枠部５５に収容したトング９への接触を避けることができ、より衛生的にトング９を取り扱うことができる。
【００２７】
脚部５７は、底部５２をスタンド台６の載置面（底部６６）から離間させる部材であり、外枠部５５に取り付けられている。脚部５７は、例えば一対設けられ、一方の脚部５７は第１の枠５５ａの左側から下方に延び、他方の脚部５７は第１の枠５５ａの右側から下方に延びる。これによって、スタンド台６の載置面と底部５２との接触を避けることができ、より衛生的にトング９を取り扱うことができる。
【００２８】
このように枠体５１は、周面に壁面が設けられていないため、内部に埃や塵が滞留し難くなっている。
【００２９】
図２に示すように、スタンド台６は、スタンド本体５を支持し、このスタンド本体５をメイントングスタンド１に留める。スタンド台６は、本体支持部６１と、取付部６２と、連結部６３とを含む。
【００３０】
本体支持部６１は、スタンド本体５が載置され、載置されたスタンド本体５を着脱可能に支持する。本体支持部６１は、例えば、トレイ状に形成され、底部６６と、底部６６の周縁から上方に立ち上がる柵部６７とを含む。底部６６は、例えば、その上に短辺を左右方向に向けたスタンド本体５を左右に２つ並べて載置することができる大きさに形成されている。なお、底部６６は、３つ以上のスタンド本体５を載置可能に形成されてもよく、また、スタンド本体５の並べ方も任意の並べ方としてもよい。底部６６は、例えば、前後方向に一列に並び、それぞれ左右方向に互いに平行に伸延する４本の棒状体６６ａと、４本の棒状体の一方の端部を連結する棒状体６６ｂと、４本の棒状体の他方の端部を連結する棒状体６６ｃとを有する。また、底部６６は、前から１本目の棒状体６６ａと前から２本目の棒状体６６ａとを連結する一対の棒状体６６ｄを有する。この棒状体６６ｄは、後述するパネル７の前側下縁を支持する支持部として機能する。
【００３１】
柵部６７は、底部６６に載置したスタンド本体５が水平方向に移動し、本体支持部６１から脱落することを防止する脱落防止柵として機能する。柵部６７は、底部６６の上方に配置され、底部６６の周縁に沿って延びる枠６７ａと、この枠６７ａの四隅と底部６６の四隅とをそれぞれ連結する４本の棒状体６７ｂとを有する。
【００３２】
取付部６２は、メイントングスタンド１のトング掛け４に着脱可能に取り付けられる部位である。取付部６２は、棒状体を折り曲げて形成され、渡し部６８と、フック部６９とを含む。
【００３３】
渡し部６８は、左右方向に並び、前後方向に伸延する一対の棒状体６８ａである。取付部６２は、トング掛け４に取り付けた状態において（図１参照）、基端部が前側トング掛け部４１に載置され、メイントングスタンド１の前側トング掛け部４１から後側トング掛け部４２に向かって延びる。また、渡し部６８は、トング掛け４に取り付けた状態において、前側トング掛け部４１に沿って延びるように一方の棒状体６８ａから他方の棒状体６８ａまで延びる棒状体６８ｂを有する。
【００３４】
フック部６９は、渡し部６８の先端に連なり、トング掛け４に取り付けるときは、後側トング掛け部４２に掛けられる。フック部６９は、渡し部６８を構成する一対の棒状体の先端に連なる一対の湾曲部６９ａと、一対の湾曲部６９ａの先端を連結する棒状体６９ｂとを含む。湾曲部６９ａは、基端部がメイントングスタンド１の後側トング掛け部４２の上方に位置し、基端部から先端部に向かって延びる部分が後側トング掛け部４２の後方を回り込んで前方に向かい、先端部が後側トング掛け部４２の下方に位置する。このように、フック部６９は、後側トング掛け部４２に掛けられることによって、スタンド台６をメイントングスタンド１に留め、スタンド台６が前下方にずり落ちることを規制するとともに、前側トング掛け部４１を中心として渡し部６８の先端が上方に揺動することを規制する。
【００３５】
連結部６３は、取付部６２と本体支持部６１とを連結する棒状体である。連結部６３は、取付部６２をトング掛け４に取り付けた状態において、スタンド本体５が前方に傾斜する姿勢をとるように取付部６２と本体支持部６１とを連結する。連結部６３は、スタンド台６に支持されたスタンド本体５の高さ方向に延び、例えば、渡し部６８を構成する一対の棒状体６８ａの基端と、本体支持部６１（具体的には柵部６７の枠６７ａ）の後側の一対の隅角部とを連結する一対の棒状体６３ａである。これによって、トング９を取り出しやすくすることができ、より他のトング９に触れ難くすることができる。
【００３６】
パネル７は、本体支持部６１に支持されている一対のスタンド本体５の側面のうち左方、右方、前方に露出する面を覆うものであり、スタンド本体５の側面から環境中に漂う塵、埃、飛沫が内部に入り込むことを防止している。パネル７は、平面視において、底部６６の左縁、前縁、右縁に沿って延びるように形成されている。パネル７は左右方向に延びる薄い板状体の左部及び右部を９０度後ろ側に折り曲げた形状を呈している。
【００３７】
上記の通り構成されたトングスタンドユニット１００は、外部の衛生環境の状況に応じて、メイントングスタンド１からトング９を取り出す形態とサブトングスタンド２からトング９を取り出す形態との間で容易に変更することができる。すなわち、外部の衛生環境が良好であり、客がトングスタンドからトング９を取り出す際に、他のトング９に触れることが許容される状況にある場合、サブトングスタンド２をメイントングスタンド１から取り外し、メイントングスタンド１のトング掛け４に多数のトング９を掛けて収納することができる。トング掛け４にトング９を掛けて収納する場合、トング９を一列に密着させてトング掛け４に掛けることができ、更にはトング掛け４に掛けたトング９の上から更にトング９を掛けて収納することが可能であるため、この形態においては、メイントングスタンド１に多数のトング９を掛けて収納することができる。
【００３８】
一方、感染症の蔓延等、外部の衛生環境が悪化し、客がトングスタンドからトング９を取り出す際に、他のトング９に触れることが許容され難い状況にある場合、サブトングスタンド２をメイントングスタンド１に取り付け、スタンド本体５の複数の収容部５８に複数のトング９を収容することができる。スタンド本体５にトング９を収容する場合、収容されている複数のトング９は互いに離間して保持されるため、トング９を使用しようとする者が収容部５８からトング９を取り出すときに、他のトング９に触れ難くすることができ、他のトング９の清潔を保つことができる。
【００３９】
そして、サブトングスタンド２をメイントングスタンド１に取り付けるときは、スタンド本体５を取り外したスタンド台６のフック部６９を上方から後側トング掛け部４２に掛け、渡し部６８を前側トング掛け部４１に載置する。このように、サブトングスタンド２をメイントングスタンド１に容易に取り付けることができるので、メイントングスタンド１からトング９を取り出す形態とサブトングスタンド２からトング９を取り出す形態との間で使用形態を臨機応変に変更することができる。
【００４０】
また、一対のスタンド本体５に収容されたトング９が残り少なくなったときは、一方のスタンド本体５に収容されたトング９を他方のスタンド本体５に移し、一方のスタンド本体５をスタンド台６から取り外し、バックヤード等においてトング９を一方のスタンド本体５に収納し、これをスタンド台６に戻すことによって、トング９を補充することができる。これによって、トング９がトングスタンドユニット１００から撤去される期間を挟むことなく、衛生的にトング９を補充することができる。
【００４１】
以上に説明したように、サブトングスタンド２は、左右方向に延びる棒状体であってトング９を掛けることができるトング掛け４を有するメイントングスタンド１に着脱可能に取り付けられるサブトングスタンド２であって、底部５２と、底部５２の上方に配置され、トング９を収容する収容部５８を複数規定する仕切部５３と、底部５２及び仕切部５３を連結する枠体５１と、を有するスタンド本体５と、スタンド本体５を着脱可能に支持する本体支持部６１と、トング掛け４に着脱可能に取り付けられる取付部６２と、取付部６２と本体支持部６１とを連結する連結部６３と、を有するスタンド台６と、を備える。
【００４２】
この構成によれば、トング９を使用しようとする者が収容部５８からトング９を取り出すときに、他のトング９に触れにくくすることができ、他のトング９の清潔を保つことができる。また、既に設置されているハンガー形式のメイントングスタンド１を用いて設置することができる。したがって、衛生により配慮したトングスタンドを新たに製造したり、新たな設置スペースを確保したりする必要がなく、この衛生により配慮したトングスタンドの設置が容易となる。そして、外部の衛生環境の状況に応じて、サブトングスタンド２からトング９を取り出す形態とメイントングスタンド１からトング９を取り出す形態との間で容易に変更することができる。
【００４３】
各収容部５８はトング９を一つ収容する大きさに形成されていてもよい。この構成によれば、トング９を取り出す際、他のトング９により触れ難くすることができる。
【００４４】
前記仕切部は、上下方向に間隔を開けて配置されていてもよい。この構成によれば、収容部に収容したトングの姿勢を効果的に立った状態とすることができる。
【００４５】
本体支持部６１は、スタンド本体５が載置され、連結部６３は、取付部６２をトング掛け４に取り付けた状態において、本体支持部６１が前方に傾斜する姿勢をとるように取付部６２と本体支持部６１とを連結してもよい。この構成によれば、トング９を取り出し易くすることができ、より他のトング９に触れにくくすることができる。
【００４６】
トング掛け４は、互いに平行に延びる前側トング掛け部４１及び後側トング掛け部４２を有し、取付部６２は、前側トング掛け部４１から後側トング掛け部４２に向かって伸び、前側トング掛け部４１に載置される渡し部６８と、渡し部６８の先端に連なり、後側トング掛け部４２に掛けられるフック部６９と、を有していてもよい。この構成によれば、サブトングスタンド２をメイントングスタンド１に容易に取り付けることができる。
【００４７】
本体支持部６１は、複数のスタンド本体５を支持してもよい。この構成によれば、トング９の補充を適切に行うことができる。
【００４８】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００４９】
１  メイントングスタンド
２  サブトングスタンド（トングスタンド）
４  トング掛け
５  スタンド本体
６  スタンド台
９  トング
５１  枠体
５２  底部
５３  仕切部
５８  収容部
６１  本体支持部
６２  取付部
６３  連結部
１００  トングスタンドユニット
【図１】
0003231656.tif 000003
【図２】
0003231656.tif 000004
【図３】
0003231656.tif 000005
【図４】
0003231656.tif 000006